(57)【要約】      （修正有）【課題】密着性に優れ、寸法の異なる容器に適用可能である鮮度保持カバーを提供する。【解決手段】中心孔とスリットを有する本体を含み、スリットが径方向に沿って本体の中心孔から本体の周縁に延びることで、本体が該スリットによって隔てられた第１の端と第２の端とを含む。第１の端に少なくとも１つの第１の結合部が設けられ、第２の端に複数の第２の結合部が設けられている。本体の中央部が高く押し上げられ、本体の第１の端の第１の結合部がいずれかの第２の結合部に結合されるように移動されることで、本体が中央が隆起した錐状体に形成され、碗皿、コップ等の物体上に被覆され、鮮度保持の効果を図る。【選択図】図１
0003171371.tif 000002
【実用新案登録請求の範囲】
【請求項１】
下表面と、上表面と、中央部と、周縁とを有し、さらに中心孔とスリットとを有する本体であって、前記中心孔が前記中央部に位置し前記上表面から延び前記下表面を貫通し、前記スリットが径方向に沿って前記中央部の中心孔から前記周縁に延びることで、前記本体が前記スリットによって隔てられた第１の端と第２の端とを含み、前記第１の端に第１の結合部が設けられ、第２の端上に前記本体の周縁方向に沿って隔てられた複数の第２の結合部が設けられ、前記本体の中央部が高く押し上げられ、前記本体の第１の端の第１の結合部がいずれかの第２の結合部に結合されるように移動され、錐状体に形成される本体と、
底端が前記本体の中心孔に結合され、頂端が前記本体の上表面から突出するハンドルと、
を備えることを特徴とする吸盤を有する鮮度保持カバー。
【請求項２】
前記第１の結合部は、凸柱であり、前記第１の端の下表面に設けられ、前記第２の結合部は、前記第１の結合部が挿入されるための穿通孔であることを特徴とする請求項１に記載の鮮度保持カバー。
【請求項３】
前記本体の第１の端の周縁にフランジが設けられ、前記フランジ内に案内溝が設けられ、前記本体の第１の端が前記第２の端に対して移動した場合、前記第２の端の周縁が前記案内溝に沿って移動することを特徴とする請求項１に記載の鮮度保持カバー。
【考案の詳細な説明】
【技術分野】
【０００１】
本考案は、鮮度保持カバーに関し、特に、容器カバー、鮮度保持フィル等の用途として使用されるソフトパッドである。
【背景技術】
【０００２】
容器（コップ、鍋、皿等）内に入れられる食べ物や飲み物に鮮度保持の効果を持たせるためには、通常、鮮度保持フィルム又はカバーにより被覆する。しかしながら、鮮度保持フィルム又は鮮度保持カバーは、プラスチック材料からなるのが一般的であり、食べ物に密着接触した使用状態において毒素が放出される可能性がある。さらに、鮮度保持フィルムが使用されると捨てられるため、材料の浪費となる。また、容器上に被覆されたカバーは、通常、吸着力を有せず、密着性がよくなく、寸法の調整もできないため、被覆可能な容器種類が極めて限られている。
【考案の概要】
【０００３】
そこで、本考案は、上述した課題を解決するたに、可撓性材料からなり、容器カバー又は鮮度保持フィルムの用途として使用可能な鮮度保持カバーを提供することを目的とする。
【課題を解決するための手段】
【０００４】
本考案に係る鮮度保持カバーは、本体とハンドルとを含む。本体は、中心孔とスリットとを有し、中心孔が本体の上表面から延び本体の下表面を貫通する。スリットは、径方向に沿って該中心孔から本体の周縁に延びることで、本体がスリットによって隔てられた第１の端と第２の端とを含む。第１の端に第１の結合部が設けられ、第２の端に本体の周縁方向に沿って隔てられた複数の第２の結合部が設けられている。本体の中央部は高く押し上げられ、本体の第１の端の第１の結合部は、いずれかの第２の結合部に結合されるように移動されることで、本体が中央が隆起した錐状体に形成される。ハンドルの底端は、本体の中心孔に結合される。本体が容器上に被覆された場合、ハンドルに圧力をかけると、鮮度保持カバーを容器に密着的に被覆することができる。
【考案の効果】
【０００５】
本考案に係る鮮度保持カバーによれば、容器カバー、鮮度保持フィルムの用途として使用されることが可能であり、密着性に優れ、寸法の異なる容器に適用可能である効果を有する。
【図面の簡単な説明】
【０００６】
【図１】本考案に係る鮮度保持カバーの分解図を示す。
【図２】図１の鮮度保持カバーの一実施形態の立体図を示す。
【図３】図２の鮮度保持カバーの断面図を示す。
【図４】図３の鮮度保持カバーがコップ上に被覆される様子の模式図を示す。
【図５】本考案に係る鮮度保持カバーの他の実施形態の立体図を示す。
【図６】図５の鮮度保持カバーが皿上に被覆される断面図を示す。
【考案を実施するための形態】
【０００７】
図１ないし図６を参照して、本考案に係る鮮度保持カバー１０は、可撓性又はフレキシブル材料からなるシート本体１２を備え、シート本体１２は、上表面１４、下表面１６、中央部１８及び周縁２０を有する。この実施例において、シート本体１２は、シリコンゴム又は発泡合成ゴムからなり、周縁２０が略円形となっている。しかしながら、シート本体１２の周縁２０は、円形に限定されるものではない。
【０００８】
シート本体１２は、さらに中心孔２２とスリット２４とを有する。中心孔２２は、中央部１８に位置し上表面１４から延び下表面１６を貫通する。スリット２４は、径方向に沿って中心孔２２から周縁２０に延びることで、本体１２がスリット２４によって隔てられた第１の端２６と第２の端２８とを含む。第１の端２６に少なくとも１つの第１の結合部３０が設けられ、この実施例において、第１の結合部３０は、凸柱であり、第１の端２６の下表面１６に設けられている。シート本体１２の第１の端２６の周縁２０にフランジ３２が設けられ、フランジ３２内に案内溝３４が設けられている。第２の端２８に本体１２の周縁方向に沿って隔てられた複数の第２の結合部が設けられ、この実施例において、３つの第２の結合部３６、３８、４０が設けられており、各第２の結合部は、第１の結合部３０が挿入されるための穿通孔である。各第２の結合部から中心孔２２までの径方向ピッチは、第１の結合部３０から中心孔２２までの径方向ピッチとほぼ同等であり、第１の端２６と第２の端２８とが上下に積層された場合、第１の端２６の第１の結合部３０は、第２の端２８のいずれか１つの第２の結合部に対応的に結合することができる。
【０００９】
鮮度保持カバー１０は、さらにハンドル４２を含み、ハンドル４２の底端４４は、中心孔２２に結合され、ハンドル４２の頂端４６は、シート本体１２の上表面１４から突出され、ユーザが手指で摘むことができる。
【００１０】
図２に示すように、シート本体１２の第１の端２６を第２の端２８上に移動させ、シート本体１２の中央部１８を押し上げると、シート本体１２は、中央が隆起した錐状体に形成され、シート本体１２の内部に弾性的に圧縮可能な空間４８（図３参照）が限定される。シート本体１２の第１の端２６が第２の端２８に対して移動すると、第２の端２８の周縁２０は、フランジ３２の案内溝３４内に沿って移動され、位置決めの効果が図られる。さらに、第１の結合部３０がいずれか１つの第２の結合部（図２において第２の結合部４０）に対応するように移動すると、第１の結合部３０は、第２の結合部４０に結合され、第１の端２６と第２の端２８とが一体に接続される（図２参照）。
【００１１】
図４は、鮮度保持カバー１０がコップカバーとして使用される様子を示す。実際に実施する際に、ユーザが図３の鮮度保持カバー１０の下表面１６をコップ５０の上端５２上に被覆すると、シート本体１２とコップ５０との間に弾性的に圧縮可能な空間４８があるため、ハンドル４２に圧力（Ｆ）を少し印加すると、空間４８内にある空気が排出され、鮮度保持カバー１０がコップ５０（図示せず）上に密着的に被覆されることが可能となり、塵埃防止及び鮮度保持の効果を有する。また、鮮度保持カバー１０を取り外しようとする場合は、コップ５０を握っていると同時にハンドル４２を引き上げるだけでよい。若しくは、鮮度保持カバー１０の一隅を持ち上げ、空気をシート本体１２内に流すだけで、鮮度保持カバー１０を容易に分離させることができる。
【００１２】
図５及び図６は、鮮度保持カバー１０が皿カバーとして使用される様子を示し、シート本体１２の第１の結合部３０は、第２の結合部３６に結合されるように移動され、シート本体１２の中央部１８が高く押し上げられることで、鮮度保持カバー１０は、高さが相対的に低く、周縁が相対的に広くなる錐状体に形成される。実際に実施する際に、ユーザは、図５の鮮度保持カバー１０の下表面１６を皿５４の上端５６に被覆することができ、ハンドル４２に圧力（Ｆ）を少し印加すると、鮮度保持カバー１０を皿５４上に密着的に被覆させることが可能となる。
【００１３】
鮮度保持カバー１０は、鮮度保持フィルム又は鮮度保持カバーの用途として使用され、鮮度保持カバー１０が容器上に被覆された後、吸着力を有するため、密着性の向上を図ることができる。シート本体１２の第１の端２６は、第２の端２８のいずれか１つの第２の結合部３６、３８、４０と選択的に結合されることで、鮮度保持カバー１０が寸法の異なる錐状体に形成され、寸法の異なる容器に適用するこができる。
【００１４】
第１の結合部３０は、穿通孔であってもよく、第２の結合部３６、３８、４０は、凸柱であってもよい。実行可能な実施例において、第１の結合部及び第２の結合部は、対応的に結合可能なファスナーバンドである。
【００１５】
以上のように、本考案では、下表面と、上表面と、中央部と、周縁とを有し、さらに中心孔とスリットとを有する本体であって、前記中心孔が前記中央部に位置し前記上表面から延び前記下表面を貫通し、前記スリットが径方向に沿って前記中央部の中心孔から前記周縁に延びることで、前記本体が前記スリットによって隔てられた第１の端と第２の端とを含み、前記第１の端に第１の結合部が設けられ、第２の端上に前記本体の周縁方向に沿って隔てられた複数の第２の結合部が設けられ、前記本体の中央部が高く押し上げられ、前記本体の第１の端の第１の結合部がいずれかの第２の結合部に結合されるように移動され、錐状体に形成される本体と、底端が前記本体の中心孔に結合され、頂端が前記本体の上表面から突出するハンドルと、を備えることを特徴とする吸盤を有する鮮度保持カバーとするものである。
【００１６】
また、前記第１の結合部は、凸柱であり、前記第１の端の下表面に設けられ、前記第２の結合部は、前記第１の結合部が挿入されるための穿通孔であるものとする。
【００１７】
また、前記本体の第１の端の周縁にフランジが設けられ、前記フランジ内に案内溝が設けられ、前記本体の第１の端が前記第２の端に対して移動した場合、前記第２の端の周縁が前記案内溝に沿って移動するものとする。
【産業上の利用可能性】
【００１８】
本考案に係る鮮度保持カバーによれば、容器カバー、鮮度保持フィルムの用途として使用されることが可能であり、密着性に優れ、寸法の異なる容器に適用可能である効果を有する。
【符号の説明】
【００１９】
１０  鮮度保持カバー
１２  本体
１４  上表面
１６  下表面
１８  中央部
２０  周縁
２２  中心孔
２４  スリット
２６  第１の端
２８  第２の端
３０  第１の結合部
３２  フランジ
３４  案内溝
３６  第２の結合部
３８  第２の結合部
４０  第２の結合部
４２  ハンドル
４４  底端
４６  頂端
４８  空間
５０  コップ
５２  上端
５４  皿
５６  上端
【図１】
0003171371.tif 000003
【図２】
0003171371.tif 000004
【図３】
0003171371.tif 000005
【図４】
0003171371.tif 000006
【図５】
0003171371.tif 000007
【図６】
0003171371.tif 000008